(57)【要約】      （修正有）【課題】設置、片付けが容易であって、街角アンケート的な安易な投票や、セミナーハウスなどでのアンケート的投票などに用いることのできる安価な匿名電子投票集計表示機を提供する。【解決手段】本匿名電子投票集計表示機は、２個以上の一次集計部３１と、二次集計部５１と表示部６１からなる匿名電子投票集計表示機であって、一次集計部は投票者が投票を行うための２個以上の投票者端末を備え、投票者端末からの投票情報を集計処理し、集計情報とともに一次集計部ＩＤを発信し、二次集計部は、投票開始スイッチと、受信部と、演算部とを備え、投票開始スイッチが入れられてから投票受付終了時間までの間に、一次集計機からの投票情報と一次集計部ＩＤを受信し、一次集計部ごとに判別し、複数の一次集計部からの投票情報を集計処理し、集計結果を表示部に表示することを特徴とする匿名電子投票集計表示機。【選択図】図２
0003152505.tif 000002
【実用新案登録請求の範囲】
【請求項１】
２個以上の一次集計部と、二次集計部と表示部からなる匿名電子投票集計表示機であって、一次集計部は投票者が投票を行うための２個以上の投票者端末を備え、投票者端末からの投票情報を集計処理し、集計情報とともに一次集計部ＩＤを発信し、二次集計部は、投票開始スイッチと、受信部と、演算部とを備え、投票開始スイッチが入れられてから投票受付終了時間までの間に、一次集計機からの投票情報と一次集計部ＩＤを受信し、一次集計部ごとに判別し、複数の一次集計部からの投票情報を集計処理し、集計結果を表示部に表示することを特徴とする匿名電子投票集計表示機。
【考案の詳細な説明】
【技術分野】
【０００１】
本考案は、匿名電子投票集計表示機に関するものである。
【背景技術】
【０００２】
近年のテレビ番組において、スタジオ見学者に端末スイッチを持たせ、番組出演者がスタジオ見学者に対し回答が「イエス、ノウ」となる質問を行い、「イエス」と回答する人は端末スイッチを押し、「イエス」の回答者数を表示するものがある。
【０００３】
このときの「イエス、ノウ」投票集計表示装置は、投票用の端末スイッチと集計部本体とは線材で通信されており、膨大な線材が投票者の着席、離席時に邪魔になっており、さらに投票端末スイッチ、集計機本体、表示部の取り回しを困難にしていた。
【０００４】
投票用端末スイッチは、１個ずつのリモコン型の端末送信機にすることもできるが、小型にすることによって、投票者が端末送信機を持ち帰られてしまう恐れが発生していた。また、１個ずつのリモコン型端末送信機の場合、各々に個別ＩＤを与え判別が必要になり、このことによって端末送信機は高価になっていた。
【０００５】
また、セミナー、会議などにおいて、回りの参加者の顔色をみて、反対または賛成の手を挙げられない状態において、参加各自が各々個別の投票端末スイッチを保持し、周りの人に悟られることなく投票端末スイッチによって、自分の意思をそのままに匿名投票することが、有効な場合が多い。
【０００６】
一方、電子投票システムとしては、数多くの考案があり、匿名性を確保した投票システムも多く提案されている。しかし、これらの投票システムは、国や地方自治体が実施する正規の選挙に関するものであって、電子投票システム及び電子投票方法（特許第４１０８６９３号公報）は、選挙管理者端末を備えるなど複雑な構成となっている。また、匿名投票を可能としたレシートフリー投票システム（特許第３７３０７００号公報）などもあるが、この提案も、投票生成センターや投票集計センターと種々のセンターと各投票者との間でメッセージを転送するためのシャッフリングセンターを設けるなど、複雑な構成となっていた。
【特許文献１】特許第４１０８６９３号公報
【特許文献１】特許第３７３０７００号公報
【考案の開示】
【考案が解決しようとする課題】
【０００７】
本考案は、設置、片付けが容易であって、街角アンケート的な安易な投票や、セミナーハウスなどでのアンケート的投票などに用いることのできる安価な匿名電子投票集計表示機を提供することにある。
【課題を解決するための手段】
【０００８】
上記目的を達成するため本考案の匿名電子投票集計表示機は、２個以上の一次集計部と、二次集計部と表示部からなる匿名電子投票集計表示機であって、一次集計部は投票者が投票を行うための２個以上の投票者端末を備え、投票者端末からの投票情報を集計処理し、集計情報とともに一次集計部ＩＤを発信し、二次集計部は、投票開始スイッチと、受信部と、演算部とを備え、投票開始スイッチが入れられてから投票受付終了時間までの間に、一次集計機からの投票情報と一次集計部ＩＤを受信し、一次集計部ごとに判別し、複数の一次集計部からの投票情報を集計処理し、集計結果を表示部に表示することを特徴とする。
【考案の効果】
【０００９】
本考案の匿名投票集計表示機は、投票者を特定せずに投票者端末を与え投票することと、一次集計部はＩＤを持ち、二次集計部もＩＤにて一次集計部を特定して集計するものの、投票ごとの記録を残さず、一次集計部を特定する外部出力を持たないことで、投票者の匿名性を確保している。また、二個以上の投票者端末を備える一次集計部ごとにＩＤを持ち発信することで、投票者端末の価格を抑えている。さらに、一次集計部の投票情報を無線通信機能で伝えるため、２次集計部までの間の線材を使用せず、このことが装置全体の取り回しを容易にしている。
【００１０】
このことによって、投票者は周囲の投票者または関係者の顔色を伺うことがなく投票が可能であって、さまざまな場所にて匿名投票及び集計結果確認が容易となる。
【考案を実施するための最良の形態】
【００１１】
１００人収容の会場で、匿名電子投票集計表示機を使用する場合、５個の投票者端末を備えた一次集計部２０個と、天地２０ｃｍの３桁表示部と、リモコンの操作子機とする。また、４５人収容の会場であって、３人がけの机１５セット有るある場合、３個の投票端末を備えた一次集計部を１５台使用する。また、４０人収容の会場であって、４人がけの机と椅子が１０セット有る場合、４個の投票端末を備えた１次集計部を１０台使用する。など会場に合わせた数量を選択することが望ましい。
【実施例１】
【００１２】
本考案の実施形態を、３０人のセミナーを例として、使用例とともに詳しく説明する。この時、セミナー会場には６個のテーブルが用意され、一つのテーブルにはセミナー参加者５人が着座しており、公演者一名がいることを想定している。
【００１３】
図１は、本考案の匿名電子投票集計表示機における、投票者端末５個と一次集計部の関係を示す構成図である。１１は投票者端末を示し、２１は線材、３１は一次集計部である。線材２１は投票者端末１１と１次集計部３１をつなぐ線材である。投票者端末１１にはプッシュボタンを具備する事が望ましい。さらに、一次集計部３１には、投票情報を無線で発信するため、電池などの電源を、電源スイッチも備えている。
【００１４】
図２は、３０人分の投票者端末と、一次集計部、二次集計部、表示部の関係を示す構成図である。３１は一次集計部を示し、４１は無線信号、５１は２次集計部、６１は表示部である。無線信号４１は１次集計部３１からの投票情報を２次集計部５１に送信している。二次集計部５１には、電源スイッチ、投票受付開始ボタンを具備し、電源スイッチを入れることで、二次集計部５１が起動し、投票受付開始ボタンが押されてから設定した時間内に、一次集計部３１からの投票情報を集計し、集計結果を表示部６１に表示する。
【００１５】
セミナー公演者が、「月給１００万円以上の人は、スイッチオン」とセミナー参加者に対し質問し、二次集計部５１に具備した投票受付開始ボタンを押す。
【００１６】
セミナー参加者は、各自が一個の投票者端末１１を持ち、一次集計機３１の電源スイッチを入れることで、一次集計部３１が起動し、セミナー公演者の質問に対し、イエスの場合は、投票者端末１１に具備したプッシュボタンを押す。
【００１７】
プッシュボタンが押された時、一次集計部３１は投票が有ったと判断し、何個の投票者端末１１のプッシュボタンが押されたかを集計し、一次集計部３１に与えられたＩＤと共に、投票情報を発信する。プッシュボタンは一次集計部３１の集計素子と直接つなぎ、同じプッシュボタンが何回押されても、投票数は１個と判断する。
【００１８】
また、プッシュボタンが押された時、一次集計部３１は投票が有ったと判断し、そのつど一次集計部３１に与えられたＩＤと共に、一次集計部に接続された何番の投票者端末１１の投票であるかの投票情報を発信する場合もある。
【００１９】
二次集計部は、投票受付開始ボタンが押された後、表示部に受付残り時間を表示し、受付時間終了までの間に、各一次集計部３１からの投票情報を加算し、集計結果を表示部６１に表示する。この時、各一次集計部３１に与えたＩＤにて、どの一次集計部３１からの投票情報かを判別し、集計を行う。
【００２０】
また、一旦受付終了した後、少し遅くなって投票者端末１１を操作し、投票された場合、この票数も加算し、表示する場合もある。
【００２１】
セミナー公演者からの「月給１００万円以上の人は、スイッチオン」という質問に対するセミナー参加者のイエスの投票数が、一次集計部３１―ａの集計数が２件、一次集計部３１―ｂの集計数が１件、一次集計部３１―ｃの集計数が１件、一次集計部３１―ｄの集計数が１件、一次集計部３１−ｅ５の集計数が１件、一次集計部３１−ｆの集計数が１件の場合、合計した７の数字が表示部に表示され、セミナー公演者及びセミナー参加者は、その数字を見て、月給１００万円以上の人が３０人中７人参加していることを知ることができる。このとき、誰がスイッチを入れ、誰が入れていないかは、投票者・公演者共にわからず、匿名投票が可能となっている。
【００２２】
続けて投票を行う場合、質問後に、投票受付開始ボタンを押し、投票受付を開始する。それまで表示されていた前質問に対する投票数は、投票受付開始ボタンを押された時にリセットされ、次の投票集計結果表示の準備に入る。
【００２３】
二次集計部５１に、表示した数字をリセットするリセットスイッチを備える場合もある。また、投票受付開始ボタン、リセットボタンを二次集計部５１から切り離し、リモコンとして操作する場合もある。
【００２４】
図１では、１個の一次集計部３１に５個の投票者端末１１が線材２１にて接続されているが、１個の一次集計部３１につなぐ投票者端末１１の個数は、これに限定するものではなく、一つのテーブルに３人が付く場合は、一次集計部３１に３個の投票者端末１１を備え、一つのテーブルに４人が付く場合は、一次集計部３１に４個の投票者端末１１を備える事が適当である。
【００２５】
投票者端末１１には、スライドスイッチや、数ポジションを持つスイッチを備える場合もある。投票者端末１１に３ポジションを持つスイッチを備えた場合、イエス・ノウの投票ではなく、Ａの意見、Ｂの意見、Ｃの意見の三つの意見に対する賛成者数を確認する事ができる。
【００２６】
投票者端末１１にプッシュスイッチを配する場合、隣の人にスイッチを入れられた事を知られない為、押した時に音の出ないタイプのプッシュスイッチが望ましい。
【００２７】
図２の表示部６１は、７セグの２桁表示の図となっているが、表示部６１としてこれに限定するものではなく、会場の大きさ、投票者数によって、表示部６１の桁数を選択し、１００名から９９９名までは３桁表示、１０００名以上は４桁を使用する場合もある。さらに、表示部６１としてテレビ画面、パソコンモニター、投影機を使用する場合もある。
【産業上の利用可能性】
【００２８】
本考案の匿名電子投票集計表示機をセミナーなどで使用する場合、セミナー参加者各自には投票者端末１１を保持してもらい、講演者はセミナーの進行に合わせて、セミナー参加者に対し「月給１００万円以上の人」などの質問し、通常は、周囲の目を意識して手を挙げられない問いに対しても、正直に投票でき、講演者は投票結果を見ながらセミナーを進行できる。
【００２９】
また、宴会場などに設置し、宴会参加者各自が投票者端末１１を保持し、質問者の「過去に浮気をしたことがある人」などの質問に投票し、投票結果をみて宴会参加者が盛り上がる。宴会場は、宴会参加者が楽しみ、喜んでもらうことで、リピーターとして期待できる。
【図面の簡単な説明】
【００３０】
【図１】本考案の匿名電子投票集計表示機における、投票者端末５個と一次集計部の関係を示す構成図である。
【図２】３０人分の投票者端末と、一次集計部、二次集計部、表示部の関係を示す構成図である。
【符号の説明】
【００３１】
１１  投票者端末
２１  線材
３１  一次集計部
４１  無線信号
５１  二次集計部
６１  表示部
【図１】
0003152505.tif 000003
【図２】
0003152505.tif 000004